(57)【要約】      （修正有）【課題】内容飲料物の取り出し開口周辺の汚染を防止することができると共に、汚染防止用の防塵カバー全体をスムーズにきれいに取り去ることができる飲料缶を提供する。【解決手段】蓋部３全体及び胴部２上端の蓋部の巻き締め部１Ａ近傍の縮径部にかけて、且つ被覆される部分に密着させて耐熱性の樹脂フィルムからなる防塵カバー５で被覆する。防塵カバー５の外縁の適所にＶ字形又はＵ字形のノッチ部６を設ける。また、防塵カバー５におけるノッチ部６に接する部分に、下側に突出するつまみ部７を一体的に形成する。更に、防塵カバー５におけるノッチ部６の奥の部分に、飲料缶１の円周方向に直交するミシン目８を設ける。【選択図】図１
0003182742.tif 000002
【実用新案登録請求の範囲】
【請求項１】
蓋部全体及び胴部上端の蓋部の巻き締め部近傍の縮径部にかけて、且つ被覆される部分に密着させて耐熱性の樹脂フィルムからなる防塵カバーで被覆し、前記防塵カバーの外縁の適所にＶ字形又はＵ字形のノッチ部を設けたことを特徴とする飲料缶。
【請求項２】
防塵カバーにおけるノッチ部に接する部分に、下側に突出するつまみ部を一体的に形成してなる請求項１記載の飲料缶。
【請求項３】
防麈カバーにおけるノッチ部の奥の部分に、飲料缶の円周方向に直交するミシン目を設けてなる請求項１又は２記載の飲料缶。
【考案の詳細な説明】
【技術分野】
【０００１】  本考案は缶ビール、缶ジュ−ス、缶コーヒー等の飲料缶に関し、更に詳細には缶の蓋部における内容飲料物の取り出し開口周辺の汚染を防止するようになした飲料缶に係わる。
【背景技術】
【０００２】  缶ビール、缶ジュ−ス、缶コーヒー等の飲料缶は、出庫してから購入者が飲むまでの流通過程においてその内容飲料物の取り出し開口周辺が塵埃や雑菌に汚染されていることが多い。【０００３】  このため、開口に口を直接つけて飲むとき、開口部分に付着した塵埃や雑菌も一緒に飲み込むことになる。また、特に蓋部の周縁の溝には塵埃や雑菌が溜まりやすく、一度口をつけて飲んだ後缶を立てると、蓋部の上面に残った飲料物の一部が蓋部の周縁の溝に溜まり、再び飲むときにこの多量に塵埃や雑菌を含んだ飲料物も一緒に口内に流れ込むことになる。【０００４】  これらのことから、従来においても缶の蓋部における内容飲料物の取り出し開口周辺の汚染を防止する構造の飲料缶が案出されている。【０００５】  従来における構造の一つの例は、樹脂シート等からなる肉厚のキャップ状の防塵カバーを飲料缶の蓋部全体に被着するものである。【０００６】  しかし、斯かる構造の場合には、防塵カバーの内面と缶の蓋部上面との間に空間ができ、この空間に塵埃や雑菌が入り込む虞がある。また、頂部がフラットな防塵カバーがあることにより、缶の上部が窪んでいないから、飲料缶を上下に積み重ねるとき、上段側の缶の底部が下段側の缶の上部に嵌まり込まない。よって安定して積み重ねることができない。また、樹脂原料も多くを必要とする。【０００７】  従来における構造の他の例は、特許文献１に示す如きものである。それは図３に示す通りであり、飲料缶１００における蓋部１０１全体と胴部１０２の上端部を耐熱性の薄い樹脂フィルムからなる防塵カバー１０３で被覆するものである。また、その防塵カバー１０３は被覆する部分に密着させている。【０００８】  斯かる構造によれば、前記第１の例の構造の問題点を解消することができる。しかし、次の如き問題点もある。それは、斯かる構造において、「オープンレバー（プルトップ）１０１Ａを引き起こすときに、これと一緒にカバー１０３を引き千切る」構造であることによるものである。【０００９】  先ず第１の問題点は、オープンレバー１０１Ａにカバー１０３が被さっていることから、オープンレバー１０１Ａに指を掛けにくいこと。したがってまた、カバー１０３を破りにくいことである。【００１０】  次に第２の問題点は、カバー１０３をオープンレバー１０１Ａの下に巻き込んだ状態（オープンレバー１０１Ａが浮いた状態）にしなければならず、カバー１０３の加工処理が面倒であることである。【００１１】  また第３の問題点は、オープンレバー１０１Ａ部分からカバー１０３を破るにしても、缶の蓋部上面中央から周囲に向けて破っていかなければならず、カバー全体を完全に除去するには手間と時間がかかり過ぎることである。
【先行技術文献】
【特許文献】
【００１２】
【特許文献１】実開平２−１０８８３７号公報
【考案の概要】
【考案が解決しようとする課題】
【００１３】  本考案は上記の点に鑑みなされたものであって、上記従来構造の第１の例の場合の問題点を解消することができると共に、第２の例の場合の問題点をも解消し、加えてカバー全体をスムーズにきれいに取り去ることができると共に、カバーの加工処理も容易となるようにすることができるようになした飲料缶を提供しようとするものである。
【課題を解決するための手段】
【００１４】  而して、本考案の要旨とするところは、蓋部全体及び胴部上端の蓋部の巻き締め部近傍の縮径部にかけて、且つ被覆される部分に密着させて耐熱性の樹脂フィルムからなる防塵カバーで被覆し、前記防塵カバーの外縁の適所にＶ字形又はＵ字形のノッチ部を設けたことを特徴とする飲料缶にある。【００１５】  また、上記構成において、防塵カバーにおけるノッチ部に接する部分に、下側に突出するつまみ部を一体的に形成するようになしてもよい。【００１６】  また、上記構成において、防塵カバーにおけるノッチ部の奥の部分に、飲料缶の円周方向に直交するミシン目を設けるようにしてもよい。
【考案の効果】
【００１７】  本考案は上記の如き構成であるから、上記従来構造の第１の例の場合の問題点を解消することができると共に、第２の例の場合の問題点をも解消することができるものである。また、防塵カバーの外縁にＶ字形又はＵ字形のノッチ部を設けているから、該ノッチ部から防塵カバーを破断し易くなり、且つまた先ず最初に防塵カバーを取り去ることから、オープンレバーは従来通りのやり方で引き起こすことができる（防塵カバーがオープンレバーを引き起こすときの邪魔にならない）ようになり、防塵カバー全体をスムーズにきれいに取り去ることができるものである。加えて、防塵カバーをオープンレバーの下に巻き込ませる必要がないから、防塵カバーの加工処理が容易である。
【図面の簡単な説明】
【００１８】
【図１】本考案の実施形態に係る飲料缶の斜視図である。
【図２】図１中Ａ−Ａ線断面図である。
【図３】従来構造の飲料缶の縦断面図である。
【考案を実施するための形態】
【００１９】    以下、本考案を実施するための形態について、図面を参照して説明する。
【００２０】  図中、１は飲料缶である。また、該飲料缶１は、本実施形態では缶ビールの飲料缶を示しているが、缶ジュース、缶コーヒー等をも含むものである。また、該飲料缶１は、一般的な飲料缶であり、胴部２と、蓋部３と、底部４とからなり、胴部２の上端縁と蓋部３の外周縁との間には巻き締め部１Ａがある。また、蓋部３には開口用のオープンレバー３Ａが設けられている。また、底部４は積み重ねるときのために下部側外周がテーパー状に窄まっている。
【００２１】  ５は耐熱性の樹脂フィルムからなる防塵カバーである。また、該防塵カバー５は、上記の如く、自動販売機での販売を考慮して耐熱性の樹脂フィルムとし、また、転がり落ちるときの破損を防止するため、ある程度の強度を有するものが好ましい。
【００２２】  また、該防塵カバー５は、前記飲料缶１における蓋部３全体及び胴部２上端の蓋部３の巻き締め部１Ａ近傍の縮径部１Ｂにかけて、且つ被覆される部分に密着させている。尚、該防塵カバー５の被覆は、樹脂フィルムを熱により収縮させる等の公知の適宜の手段をもって行えばよい。
【００２３】  また、該防塵カバー５の前記飲料缶１の縮径部１Ｂ内に位置する外縁５Ａには、適所にＶ字形又はＵ字形のノッチ部６を設けている。尚、該ノッチ部６は、本実施形態においてはＶ字形のものを示している。このようにノッチ部６、即ち切り込みを設けることにより、防塵カバー５はこの部分から簡単に破断し易く、且つ外縁部から破断するから、防塵カバー５全体をスムーズにきれいに取り去ることができるものである。また、先ず最初に防塵カバー５を取り去ることから、オープンレバー３Ａは従来通りのやり方で引き起こすことができる（防塵カバーがオープンレバーを引き起こすときの邪魔にならない）ようになるものである。また、防塵カバー５をオープンレバー３Ａの下に巻き込ませる必要がないから、防塵カバーの加工処理が容易である。また、防塵カバー５は、その周縁部が飲料缶１の縮径部１Ｂ内に位置するようにしているから、自動販売機での販売において転がり落ちるときに周縁部が捲れることがないものである。
【００２４】  また、該防塵カバー５における前記ノッチ部６に接する部分に、下側に突出するつまみ部７を一体的に形成している。これにより、つまみ部７を指でつまんで引っ張ることができ、防塵カバー５の破断をよりスムーズに行うことができるようになるものである。
【００２５】  また、該防塵カバー５における前記ノッチ部６の奥の部分に、飲料缶１の円周方向に直交するミシン目８を設けている。これにより、より一層防塵カバー５の破断がスムーズになるものである。
【００２６】  次に、本実施形態の作用について説明する。
購入者が飲料を飲むときには、ノッチ部６から防塵カバー５を破断するものである。そして、一部が破断された樹脂フィルムからなる防塵カバー５は、力を加えて引っ張ると全体がスムーズにきれいに取り去られるものである。また、ノッチ部６に接する部分につまみ部７を形成しているから、該つまみ部６をつまんで引っ張ることにより力が入りやすく、防塵カバー５の破断をよりスムーズに行うことができるものである。加えて、ノッチ部６の奥の部分に飲料缶１の円周方向に直交するミシン目８を設けているから、より一層防塵カバー５の破断がスムーズになるものである。
【符号の説明】
【００２７】  １  飲料缶
１Ａ  飲料缶の巻き締め部
１Ｂ  飲料缶の縮径部
２  飲料缶の胴部
３  飲料缶の蓋部
４  飲料缶の底部
５  防塵カバー
５Ａ  防塵カバーの外縁
６  ノッチ部
７  つまみ部
８  ミシン目
【図１】
0003182742.tif 000003
【図２】
0003182742.tif 000004
【図３】
0003182742.tif 000005